(57)【特許請求の範囲】
【請求項１】
ターボシャフトエンジン（５）に機械的に連結され、前記ターボシャフトエンジン（５）を回転させ、これが再起動されることを確実にすることができるように空気圧供給回路（８）によって指令があると加圧ガスが供給される空気圧タービン（３０）を備える、ヘリコプターの前記ターボシャフトエンジン（５）の再起動のためのシステムの確実性を試験するための装置であって、前記装置は、
−加圧空気をターボシャフトエンジン（５）から引き出すための手段（２１、２２）と、
−前記空気圧タービン（３０）に供給するための前記空気圧供給回路（８）に前記引き出された空気を搬送するためのダクト（２３）と、
−前記空気圧タービン（３０）の回転速度を測定するための手段と、
を備えることを特徴とする、装置。
【請求項２】
空気圧供給回路（８）と前記ダクト（２３）との間の接続点の領域に配置される電磁弁（３３）を備え、前記電磁弁（３３）が、制御ユニットから指令があると、および前記空気圧供給回路（８）からの加圧ガス供給がないときは、前記ダクト（２３）と前記空気圧供給回路（８）との間の空気通路（３４）を開き、指令がないとき、または前記空気圧供給回路からの加圧ガス供給が存在するときは、前記空気通路（３４）を閉じるように構成されることを特徴とする、請求項１に記載の装置。
【請求項３】
前記電磁弁（３３）が、指令がないときに、または前記空気圧供給回路（８）からの加圧ガス供給が存在するときは、空気通路（３４）を閉じたままにしておくのに適した予荷重ばね（３５）を備えることを特徴とする、請求項２に記載の装置。
【請求項４】
加圧空気をターボシャフトエンジン（５）から引き出すための前記手段（２１、２２）が、前記ターボシャフトエンジンの圧縮機（１４）の領域に配置されることを特徴とする、請求項１から３のいずれかに記載の装置。
【請求項５】
前記ターボシャフトエンジンに機械的に連結され、前記ターボシャフトエンジンを回転させ、これが再起動されることを確実にすることができるように空気圧供給回路（８）によって指令があると加圧ガスが供給される空気圧タービン（３０）を備える、再起動システムが設けられるヘリコプターターボシャフトエンジンであって、請求項１から４のいずれかに記載の前記再起動システムの確実性を試験するための装置を備えることを特徴とする、ヘリコプターターボシャフトエンジン。
【請求項６】
ターボシャフトエンジン（５）に機械的に連結され、前記ターボシャフトエンジン（５）を回転させ、これが再起動されることを確実にすることができるように空気圧供給回路（８）によって指令があると加圧ガスが供給される空気圧タービン（３０）を備える、ヘリコプターのターボシャフトエンジン（５）の再起動のためのシステムの確実性を試験するための方法であって、
−加圧空気をターボシャフトエンジン（５）から引き出すステップと、
−前記空気を前記空気圧タービン（３０）に搬送するステップと、
−前記空気圧タービン（３０）の回転速度を測定するステップと、
を含むことを特徴とする、方法。
【請求項７】
前記空気圧タービン（３０）の測定された回転速度を所定の閾値速度と比較するステップを含むことを特徴とする、請求項６に記載の方法。
【請求項８】
前記空気搬送ステップが、空気圧供給回路（８）と空気搬送ダクト（２３）との間の接続点の領域に配置される電磁弁（３３）が開くことを指令するステップを含み、前記電磁弁（３３）が、制御ユニットから指令があると、および前記空気圧供給回路（８）からの加圧ガス供給がないときは、前記空気搬送ダクト（２３）と前記空気圧供給回路（８）との間の空気通路（３４）を開き、指令がないとき、または前記空気圧供給回路（８）からの加圧ガス供給が存在するときは、前記空気通路（３４）を閉じるように構成されることを特徴とする、請求項７に記載の方法。
【請求項９】
前記電磁弁（３３）を開く指令がないとき、およびターボシャフトエンジンの再起動の手順が動作中でない場合に、前記電磁弁（３３）が前記空気圧タービン（３０）の非ゼロ速度測定値によって意図せずに開かれるかどうか検出するステップを含むことを特徴とする、請求項８に記載の方法。
【請求項１０】
空気圧タービン（３０）の状態の傾向を監視することができるように前記空気圧タービン（３０）の速度測定値を蓄えるステップを含むことを特徴とする、請求項６から９のいずれかに記載の方法。
【発明の詳細な説明】
【技術分野】
【０００１】
本発明は、ターボシャフトエンジンの迅速な再起動のためのシステムを完全性試験するための装置および方法に関する。本発明はまた、このタイプの完全性試験装置が設けられるヘリコプターターボシャフトエンジンに関する。
【背景技術】
【０００２】
知られているように、ツインエンジンまたは３エンジンヘリコプターは、２つまたは３つのターボシャフトエンジンを備える推進システムを有し、各ターボシャフトエンジンは、ガス発生器と、ガス発生器によって回転させられ、出力軸に堅固に連結されるフリータービンとを備える。各フリータービンの出力軸は、伝動ギアボックスを作動させるのに適しており、この伝動ギアボックス自体が、ヘリコプターのロータを駆動する。
【０００３】
ヘリコプターが巡航飛行状況にある場合（すなわち、離陸、上昇、着陸、またはホバリング飛行の過渡段階は別として、すべての飛行段階中に通常状態で進行している場合）は、ターボシャフトエンジンは、それらの最大連続出力より小さく、低いパワーレベルで作動することが知られている。これらの低いパワーレベルは、ターボシャフトエンジンの燃焼室による時間当たりの燃料の消費量とこのターボシャフトエンジンによって供給される機械的動力との間の比として定義される比消費量（後に、Ｃｓと呼ばれる）をもたらし、それは、最大離陸パワーのＣｓのおよそ３０％よりも大きく、したがって巡航飛行時の燃料の過剰消費を引き起こす。
【０００４】
そのうえ、ヘリコプターのターボシャフトエンジンは、万一エンジンのうちの１つの故障の場合にヘリコプターを飛行中のままにしておくことができるように必要以上に大きいように設計される。この飛行状況は、エンジンの損失に続いて起こり、その結果、各々機能しているエンジンは、ヘリコプターが危険な状況を克服し次いでその飛行を続けることができるようにその定格パワーよりも著しく大きなパワーを提供することになる。
【０００５】
ターボシャフトエンジンはまた、航空機製造業者によって特定された飛行範囲全体にわたる飛行、ならびに特に高い高度および炎天下での飛行を確保することができるように必要以上に大きい。これらの飛行点は、特にヘリコプターがその最大離陸重量に近い重量を有するときの非常に限定的であるが、特定の使用の場合にしか遭遇しない。
【０００６】
これらの大きすぎるターボシャフトエンジンは、重量および燃料消費の点から不利である。巡航飛行時にこの消費を低減するために、ターボシャフトエンジンのうちの少なくとも１つを飛行時に待機状態にさせることが考えられる。アクティブエンジンまたは複数のエンジンは、この場合、必要なパワーすべてを提供するためにより高いパワーレベルで、およびしたがってより有利なＣｓレベルで作動する。
【０００７】
ターボシャフトエンジンを待機状態にさせることは、必要なときにターボシャフトエンジンを待機状態から迅速に抜け出させることができる迅速な再起動システムを必要とする。この必要性は、たとえば、アクティブエンジンのうちの１つが作動しなくなること、または飛行状件が不意に悪化することから起こる場合があり、その結果、迅速に復帰されるように全出力が必要とされる。
【０００８】
出願人は、ターボシャフトエンジンに機械的に連結され、タービン入口での加圧ガスによる動力をターボシャフトエンジンのガス発生器を駆動する機械的動力に変換することができるように構成される空気圧タービンを用いる迅速な再起動システムを既に提案している。空気圧タービンへのガスの供給は、たとえば、空気圧貯蔵と制御された高速開閉弁の協働によって、または固体推進剤貯蔵装置によって実現され得る。
【０００９】
したがって、出願人は、迅速な再起動システムが動作することを確実にすることができ、飛行中に使用され得るような迅速な再起動システムを完全性試験するための方法および装置を開発しようとしている。
【発明の概要】
【発明が解決しようとする課題】
【００１０】
本発明は、ターボシャフトエンジンの迅速な再起動のためのシステムを完全性試験するための装置および方法を提供することを目的としている。
【００１１】
本発明は、少なくとも１つの実施形態においては、ツインエンジンまたは３エンジンヘリコプターの推進システムの構成に容易に組み込まれ得る完全性試験装置を提供することを特に目的としている。
【００１２】
本発明はまた、本発明の少なくとも１つの実施形態においては、離陸前に、または飛行中に、ターボシャフトエンジンが待機状態にされる前に地上で実施され得る完全性試験方法を提供することを目的としている。
【００１３】
また、本発明は、本発明による完全性試験装置が設けられるターボシャフトエンジンを提供することを目的としている。
【課題を解決するための手段】
【００１４】
これを行うために、本発明は、ターボシャフトエンジンに機械的に連結され、前記ターボシャフトエンジンを回転させ、これが再起動されることを確実にすることができるように空気圧供給回路によって指令があると加圧ガスが供給される空気圧タービンを備える、ヘリコプターのターボシャフトエンジンの迅速な再起動のためのシステムを完全性試験するための装置に関する。
【００１５】
本発明による装置は、
−加圧空気をターボシャフトエンジンから引き出すための手段と、
−ガスを前記空気圧タービンに供給するための前記空気圧回路に前記引き出された空気を搬送するためのダクトと、
−前記空気圧タービンの回転速度を決定するための手段と、
を備えることを特徴とする。
【００１６】
したがって、本発明による装置により、ターボシャフトエンジンの迅速な再起動のためのシステムの運動連鎖の完全性を試験することができる。特に、ターボシャフトエンジンから引き出される加圧空気、たとえば適度な圧力の空気がタービン入口で注入される場合に、空気圧タービンが実際に回転されることを実証することができる。本発明による装置により、迅速な再起動システム、特に、空気圧タービンそれ自体、なおまたタービンのロータおよびその軸受、および空気圧タービンの上流に配置される任意の機械要素の運動連鎖全体を試験することができる。このタイプの完全性試験装置は、迅速な再起動システムと別個である。特に、ターボシャフトエンジンから引き出される空気を搬送するためのダクトは、迅速な再起動システムのガス供給回路と別個である。
【００１７】
有利なことに、本発明による装置は、空気圧回路と前記空気搬送ダクトとの間の接続点の領域に配置される電磁弁を備え、前記電磁弁が、制御ユニットから指令があると、および前記空気圧回路からの加圧ガス供給がないときは、前記空気搬送ダクトと前記空気圧回路との間の空気通路を開き、指令がないとき、または前記空気圧回路からの加圧ガス供給が存在するときは、前記空気通路を閉じるように構成される。
【００１８】
制御ユニットは、たとえば、ヘリコプターの電子制御コンピュータ（より一般的には、頭字語ＥＥＣＵによって知られている）である。この制御ユニットは、空気搬送ダクトと空気圧タービンの空気圧供給回路との間の空気通路を開くように電磁弁を制御する。完全性試験が行われない場合は、電磁弁は、空気通路を閉じる。そのうえ、電磁弁は、空気圧回路に加圧ガスが供給される場合はもちろん空気通路を閉じる。したがって、空気圧回路および再起動システムの空気圧タービンは、完全性試験装置によって妨害されない。
【００１９】
有利なことに、および本発明によれば、前記電磁弁は、指令がないときに、または前記空気圧回路からの加圧ガス供給が存在するときは、空気通路を閉じたままにしておくのに適した予荷重ばねを備える。
【００２０】
迅速な再起動の手順中に、電磁弁は、空気圧回路の中を流れるガスによって加えられる圧力によってもちろん閉位置に保たれる。これを行うために、空気通路を開くためにばねを圧縮するように該ばねに加えられる力は、ターボシャフトエンジンの迅速な再起動の手順中に空気圧回路の中を流れる高温加圧ガスによって加えられる圧力よりも小さい。
【００２１】
そのうえ、予荷重ばねにより、空気通路は、ターボシャフトエンジンから引き出され、空気搬送ダクトに存在する加圧空気によって加えられる圧力に対抗することによって、指令がないときは閉じられることを確実にすることができる。
【００２２】
有利なことに、および本発明によれば、ターボシャフトエンジンから加圧空気を引き出すための手段は、前記ターボシャフトエンジンの圧縮機の領域に配置される。
【００２３】
ターボシャフトエンジンは、従来、少なくとも１つの圧縮機段、好ましくは、第１の圧縮機段および第２の圧縮機段を備える。したがって、加圧空気を引き出すための手段は、圧縮機段のうちの一方および／または他方に配置され得る。これらの引き出し手段は、たとえば、圧縮機段のうちの一方および／または他方の領域のターボシャフトエンジンの外側ケーシングの専用のボスによって形成される。このように引き出される空気は、およそ２バールから１５バールの適度な圧力を有する。
【００２４】
本発明はまた、ターボシャフトエンジンに機械的に連結され、前記ターボシャフトエンジンを回転させ、これが再起動されることを確実にすることができるように空気圧供給回路によって指令があると加圧ガスが供給される空気圧タービンを備える、迅速な再起動システムが設けられるヘリコプターのターボシャフトエンジンに関する。
【００２５】
本発明によるターボシャフトエンジンは、本発明による前記迅速な再起動システムを完全性試験するための装置を備えることを特徴とする。
【００２６】
本発明はまた、前記ターボシャフトエンジンに機械的に連結され、前記ターボシャフトエンジンを回転させ、これが再起動されることを確実にすることができるように空気圧供給回路によって指令があると加圧ガスが供給される空気圧タービンを備える、ターボシャフトエンジンの迅速な再起動のためのシステムを完全性試験するための方法に関する。
【００２７】
本発明による方法は、
−加圧空気をターボシャフトエンジンから引き出すステップと、
−前記空気を前記空気圧タービンに搬送するステップと、
−前記空気圧タービンの回転速度を測定するステップと、
を含むことを特徴とする。
【００２８】
本発明による方法は、本発明による装置によって実施されることが有利であり、本発明による装置は、本発明による方法を実施することが有利である。
【００２９】
本発明による方法は、ヘリコプターが離陸する前に、飛行中、またはターボシャフトエンジンが待機状態にされる前に地上で実施され得る。
【００３０】
有利なことに、本発明による方法は、前記空気圧タービンの測定された回転速度を所定の閾値速度と比較するステップを含む。
【００３１】
所定の閾値速度は、たとえば、ターボシャフトエンジンのガスタービンの最小回転速度の所定の百分率として定義される。速度測定ステップ中に測定された速度が閾値速度よりも大きい場合は、迅速な再起動システムは、正しく作動していると見なされる。測定された速度が所定の閾値速度よりも小さい場合は、システムは、信頼できないと見なされ、ターボシャフトエンジンは、待機状態にされることを阻止される。
【００３２】
有利なことに、および本発明によれば、前記空気搬送ステップは、空気圧回路と前記空気搬送ダクトとの間の接続点の領域に配置される電磁弁が開くことを指令するステップを含み、前記電磁弁は、制御ユニットから指令があると、および前記空気圧回路からの加圧ガス供給がないときは、前記空気搬送ダクトと前記空気圧回路との間の空気通路を開き、指令がないとき、または前記空気圧回路からの加圧ガス供給が存在するときは、前記空気通路を閉じるように構成される。
【００３３】
有利なことに、本発明による方法は、前記電磁弁を開く指令がないとき、およびターボシャフトエンジンの迅速な再起動の手順が動作中でない場合に、前記電磁弁が前記空気圧タービンの非ゼロ速度測定値によって意図せずに開かれるかどうか検出するステップを含む。
【００３４】
ターボシャフトエンジンの迅速な再起動のための、および完全性試験を行うための手順がないときは、空気圧タービンは回転されるべきではない。加えて、本発明は、前記電磁弁が空気圧タービンの非ゼロ回転速度測定値によって意図せずに開かれるかどうか検出するステップを含む。このステップは、試験装置が故障していないことを実証するために所定の間隔で実行され得る。迅速な再起動の手順がないとき、および完全性試験がないとき、測定された速度がゼロでない場合は、これは、試験装置が故障していることを意味する。
【００３５】
有利なことに、本発明による方法は、空気圧タービンの状態の傾向を監視することができるように前記空気圧タービンの速度測定値を蓄えるステップを含む。
【００３６】
本発明はまた、上または次に述べる特徴のすべてまたはいくつかによる組合せを特徴とする、完全性試験装置に、完全性試験方法に、および完全性試験装置が設けられるターボシャフトエンジンに、関する。
【００３７】
本発明の他の目的、特徴、および利点は、単に非限定的な実施例によって与えられ、添付の図面に関連する次の説明を読むと明らかになるであろう。
【図面の簡単な説明】
【００３８】
【図１】迅速な再起動システムが設けられるターボシャフトエンジンの概略図である。
【図２】本発明の一実施形態による、迅速な再起動システムを完全性試験するための装置が設けられるターボシャフトエンジンの概略図である。
【図３】閉位置における、本発明の一実施形態による完全性試験装置の電磁弁の概略図である。
【図４】開位置における、本発明の一実施形態による完全性試験装置の電磁弁の概略図である。
【発明を実施するための形態】
【００３９】
図面において、尺度および比率は、説明および明瞭さのために尊重されない。
【００４０】
図１は、待機モードにさせられるのに適しており、空気圧タービンを備える迅速な再起動システムが設けられるターボシャフトエンジン５を概略的に示している。
【００４１】
このターボシャフトエンジン５は、ガス発生器１７、およびガス発生器１７によって供給されるフリータービン１０を備える。ガス発生器１７は、空気が空気入口１８によって供給される空気圧縮機１４を備える。圧縮機１４は、圧縮空気で、燃焼室１３に燃料を供給し、その燃料は、運動エネルギーを与える燃焼ガスを放出する。燃焼ガスを部分的に膨張させるためのタービン１２は、圧縮機１４と、ガス発生器またはヘリコプターの作動に必要な装置とを回転させることができるように駆動軸１５によって圧縮機１４に連結される。この装置は、アクセサリギアボックス３２に配置される。燃焼ガスの結果として生じる部分は、ヘリコプターの伝動ギアボックス（後にＰＴＧ）と関連して出力伝達タービン１０を駆動し、次いで排気口１９を通して排出される。
【００４２】
迅速な再起動システム１１は、図１の実施形態によれば、アクセサリギアボックス３２によってターボシャフトエンジンに機械的に連結される空気圧タービン３０を備える。この空気圧タービン３０には、ガス供給回路８によってガスが供給されるが、詳細には説明されない。
【００４３】
本発明による完全性試験装置は、図２に示されるように、加圧空気をターボシャフトエンジンから引き出すための手段２１、２２と、ガスを前記空気圧タービン３０に供給するための前記空気圧回路８に前記引き出された空気を搬送するためのダクト２３と、前記空気圧タービンの回転速度を決定するための手段と、を備える。
【００４４】
回転速度を決定するための手段は、明瞭さのために図面に示されていない。これらの手段は、たとえば、空気圧タービン３０の軸に取り付けられる速度センサを備える。このセンサは、処理モジュールに接続され、たとえばマイクロプロセッサが設けられるコンピュータに配置される。好ましくは、処理モジュールは、ヘリコプターを調整し制御するためのユニットに直接配置される（明瞭さのために図面に示されていない）。
【００４５】
一実施形態によれば、この処理モジュールは、たとえばガスタービンの公称速度の百分率によって表現される、閾値速度の値を含むように設計される構成可能なメモリを備える。速度センサによって測定された空気圧タービン３０の回転速度が閾値速度よりも大きい場合は、迅速な再起動システムの完全性がこれによって確認される。
【００４６】
有利な実施形態にしたがって、再起動システムの完全性を試験するための手順中に空気を空気圧タービン３０に供給するために、本発明は、空気圧回路８と空気搬送ダクト２３との間の接続点の領域に配置される電磁弁３３を提供する。この電磁弁３３は、図３および図４に示されている。
【００４７】
電磁弁３３は、（図面には示されていない）制御ユニット、たとえばヘリコプターのＥＥＣＵから指令があると、搬送ダクト２３と空気圧回路８との間の空気通路３４を開き、指令がないときは前記空気通路３４を閉じるように構成される。電磁弁３３は、指令がないときは空気通路を閉じたままにしておくのに適した予荷重ばね３５を備える。
【００４８】
図３においては、空気通路３４は、電磁弁３３によって閉じられている。この位置は、完全性試験がないことにも再起動手順がないことにも対応する。これがデフォルト位置である。このように、電磁弁３３は、ばね３５の作用によって閉位置に保たれる。また、図３の位置は、ターボシャフトエンジンを再起動するための手順中の位置に対応する。この場合は、空気圧回路８は、図３の矢印４１ａ、４１ｂ、および４１ｃによって示される加圧ガスを空気圧タービン３０に搬送する。ガスの圧力は、電磁弁３３を閉位置に保つ。この圧力は、図３の矢印４１ｂによって示される。
【００４９】
図４は、迅速な再起動システムを完全性試験するための手順中の電磁弁３３の位置を示している。ターボシャフトエンジンから引き出される空気は、搬送ダクト２３の中を流れ、通路３４を通過し、空気圧タービン３０の方へ搬送されるために空気圧回路８に入る。完全性試験中の空気の搬送は、図４の矢印４３ａ、４３ｂ、および４３ｃによって示されている。
【００５０】
本発明はまた、加圧空気をターボシャフトエンジンから引き出すステップと、前記空気を前記空気タービンに搬送するステップと、前記空気タービンの回転速度を測定するステップと、を含む、ターボシャフトエンジンの迅速な再起動のためのシステムを完全性試験するための方法に関する。
【００５１】
一実施形態によれば、方法は、前記空気圧タービンの測定された回転速度を所定の閾値速度と比較するステップをさらに含む。方法はまた、前記電磁弁を開く指令がないとき、およびターボシャフトエンジンの迅速な再起動の手順が動作中でない場合に、前記電磁弁が前記空気圧タービンの非ゼロ速度測定値によって意図せずに開かれるかどうか検出するステップを含むことができる。また、方法は、空気圧タービンの状態の傾向を監視することができるように前記空気圧タービンの速度測定値を蓄えるステップを含むことができる。
【００５２】
本発明による方法の各ステップは、本発明による完全性試験装置によって実行されることが有利である。
【図１】
0006545260.tif 000002
【図２】
0006545260.tif 000003
【図３】
0006545260.tif 000004
【図４】
0006545260.tif 000005